(57)【特許請求の範囲】
【請求項１】
発する光の色および明るさを変更可能とされた照明装置と、
色空間の色相、明度および彩度の３軸のパラメータの指定を色相と、明度および彩度との２軸の指定操作で受け付ける操作部と、
前記操作部に対する２軸の指定操作で指定された前記色空間の３軸のパラメータの値に応じた色および明るさで発光するように前記照明装置を制御する照明制御部と、
前記照明装置の色および明るさの指定操作のログを記録する記録部と、
前記記録部により記録されたログに基づき、調整される頻度が高い色および明るさの範囲を判別する判別部と、
前記操作部の前記判別部により調整される頻度が高いと判別された範囲の色および明るさの指定の粒度を当該判別された範囲以外の範囲よりも高く変更する変更部と、
を有することを特徴とする照明システム。
【請求項２】
前記操作部は、色相と、明度および彩度との２軸を切り替えて１つのホイールの回転操作で指定が可能とされた
ことを特徴とする請求項１に記載の照明システム。
【請求項３】
前記操作部は、明度および彩度の指定操作では、前記ホイールの回転操作に応じて、明度０％および彩度１００％から明度１００％および彩度１００％を経て明度１００％および彩度０％に変化する
ことを特徴とする請求項２に記載の照明システム。  
【請求項４】
前記操作部は、青色に相当する範囲を青色以外の範囲よりも細かく色を指定可能とされた
ことを特徴とする請求項１〜３の何れか１つに記載の照明システム。
【請求項５】
前記操作部で指定操作された色および明るさの登録を受け付ける登録受付部と、
前記登録受付部により登録された色および明るさのカラーパターンを選択可能に表示する表示部と、をさらに有し、
前記照明制御部は、前記表示部に表示された何れかのカラーパターンが選択されると、選択されたカラーパターンの色および明るさで発光するように前記照明装置を制御する
ことを特徴とする請求項１〜４の何れか１つに記載の照明システム。
【請求項６】
前記表示部は、何れかのカラーパターンが選択されると、選択されたカラーパターンから色および明るさが近い順に登録済みの他のカラーパターンを表示する
ことを特徴とする請求項５に記載の照明システム。
【請求項７】
前記操作部を操作するユーザのタイプを特定する特定部をさらに有し、
前記表示部は、前記特定部により特定されたユーザのタイプに応じたカラーパターンを表示する
ことを特徴とする請求項５または６に記載の照明システム。
【請求項８】
色空間の色相、明度および彩度の３軸のパラメータの指定を色相と、明度および彩度との２軸の指定操作で受け付ける操作部と、
発する光の色および明るさを変更可能とされた照明装置を、前記操作部に対する２軸の指定操作で指定された前記色空間の３軸のパラメータの値に応じた色および明るさで発光するように制御する照明制御部と、
前記照明装置の色および明るさの指定操作のログを記録する記録部と、
前記記録部により記録されたログに基づき、調整される頻度が高い色および明るさの範囲を判別する判別部と、
前記操作部の前記判別部により調整される頻度が高いと判別された範囲の色および明るさの指定の粒度を当該判別された範囲以外の範囲よりも高く変更する変更部と、
を有することを特徴とする照明制御装置。
【請求項９】
色空間の色相、明度および彩度の３軸のパラメータの指定を色相と、明度および彩度との２軸の指定操作で受け付け、
発する光の色および明るさを変更可能とされた照明装置を、前記２軸の指定操作で指定された前記色空間の３軸のパラメータの値に応じた色および明るさで発光するように制御し、
前記照明装置の色および明るさの指定操作のログを記録し、
記録されたログに基づき、調整される頻度が高い色および明るさの範囲を判別し、
調整される頻度が高いと判別された範囲の色および明るさの指定の粒度を当該判別された範囲以外の範囲よりも高く変更する
処理をコンピュータに実行させることを特徴とする照明制御プログラム。
【請求項１０】
色空間の色相、明度および彩度の３軸のパラメータの指定を色相と、明度および彩度との２軸の指定操作で受け付け、
発する光の色および明るさを変更可能とされた照明装置を、前記２軸の指定操作で指定された前記色空間の３軸のパラメータの値に応じた色および明るさで発光するように制御し、
前記照明装置の色および明るさの指定操作のログを記録し、
記録されたログに基づき、調整される頻度が高い色および明るさの範囲を判別し、
調整される頻度が高いと判別された範囲の色および明るさの指定の粒度を当該判別された範囲以外の範囲よりも高く変更する
処理をコンピュータが実行することを特徴とする照明制御方法。
【発明の詳細な説明】
【技術分野】
【０００１】
本発明は、照明システム、照明制御装置、照明制御プログラムおよび照明制御方法に関する。
【背景技術】
【０００２】
これまで家庭の照明は、明るさや色合いを変更する自由度が少なかった。家庭の照明は、設置後、ほとんど交換することはなく、照明器具が寿命を迎えるか、故障した時に交換する程度だった。家庭の照明は、もちろん点灯・消灯を日々行うが、明るさや色合いは最初に設置・設定した後、一般的には変更しない。また、家庭の照明は、設置時も、４０Ｗクラスか６０Ｗクラスか、また昼光色か電球色かといった程度の選択肢しかない。さらに照明は、家庭において空調に次ぐ消費電力であったため、こまめに消して必要最小限に利用することで省エネという視点で考えられていた。
【０００３】
こういった状況を、ＬＥＤ（Light  Emitting  Diode）など新世代の照明と、ＩｏＴ（Internet  of  Things）とが一変させつつある。新世代の照明は、任意の色を任意の明るさで出すことができる。新世代の照明は、まだ演色性や色のバラツキといった点に関しては改善の余地が大きいと言われるが、着実に性能向上している。さらに、新世代の照明は、発光素子のサイズと消費電力が小さく、耐久性が高いため、形状やオンオフの自由度が向上している。
【０００４】
ただし、コントロールに関しては従来の照明を踏襲していたため、その自由度を存分に発揮できずにいた。ここに、スマートフォンを中心とするＩｏＴがコントロールの自由度を照明に与えることとなった。その先鞭をつけたのがPhilips社のhueである。hueは、色と明るさを、スマートフォンからいつでも変更できる。また、hueは、ネットワーク接続しているため、他の機器との連携も容易である。その後も続々とＩｏＴ型の照明が登場している。この新しい自由な照明と制御機器がもたらす未来の照明を、以下では、「ユビキタス照明」と呼ぶ。
【先行技術文献】
【特許文献】
【０００５】
【特許文献１】特開２００３−２９９０１３号公報
【特許文献２】特開２０１３−２５７７６１号公報
【発明の概要】
【発明が解決しようとする課題】
【０００６】
ユビキタス照明は、生活のくつろぎや快適性を向上させるなど、ユーザに対して照明の新しい価値を提供する可能性がある。しかしながら、ユビキタス照明は、色や明るさを変えられる自由度が高いため、ユーザが照明を所望の色や明るさに調整することが困難な場合がある。色や明るさは、一般に、ＲＧＢやＨＳＢ、Ｌａｂなど３軸のパラメータで色空間が表現される。このため、ユーザは、３軸のパラメータを個々に調整して目的の色や明るさに照明を調整するが、自由度が高すぎて照明の調整が困難となる場合がある。
【０００７】
本発明は、上記に鑑みてなされたものであって、照明を目的の色や明るさに簡易に調整できる照明システム、照明制御装置、照明制御プログラムおよび照明制御方法を提供することを目的とする。
【課題を解決するための手段】
【０００８】
上述した課題を解決し、目的を達成するために、本発明の照明システムは、発する光の色および明るさを変更可能とされた照明装置と、色空間の３軸のパラメータの指定を２軸の指定操作で受け付ける操作部と、前記操作部に対する２軸の指定操作で指定された前記色空間の３軸のパラメータの値に応じた色および明るさで発光するように前記照明装置を制御する照明制御部と、を有することを特徴とする。
【発明の効果】
【０００９】
本発明は、照明を目的の色や明るさに簡易に調整できるという効果を奏する。
【図面の簡単な説明】
【００１０】
【図１】図１は、照明システムの構成の一例を示す図である。
【図２】図２は、照明システムの機能的な構成の一例を示す図である。
【図３Ａ】図３Ａは、操作パネルの一例を示す図である。
【図３Ｂ】図３Ｂは、操作パネルによる色相の指定範囲の一例を示す図である。
【図３Ｃ】図３Ｃは、操作パネルによる明度および彩度の指定範囲の一例を示す図である。
【図３Ｄ】図３Ｄは、操作パネルに表示される色の一例を示す図である。
【図４】図４は、タッチパネルに表示される操作画面の一例を示す図である。
【図５】図５は、照明制御装置の機能的な構成の一例を示した図である。
【図６】図６は、照明情報のデータ構成の一例を示す図である。
【図７】図７は、カラーパターン情報のデータ構成の一例を示す図である。
【図８】図８は、ログ情報のデータ構成の一例を示す図である。
【図９】図９は、照明装置の色および明るさの調整を模式的に示した図である。
【図１０】図１０は、ログ情報に記録されたログを模式的に示した図である。
【図１１Ａ】図１１Ａは、複数のユーザについての登録されたカラーパターンの色および明るさの頻度分布を示した図である。
【図１１Ｂ】図１１Ｂは、複数のユーザについての登録されたカラーパターンの色および明るさの頻度分布を示した図である。
【図１２Ａ】図１２Ａは、複数のユーザについての登録されたカラーパターンを類似色ごとにまとめた頻度分布を示した図である。
【図１２Ｂ】図１２Ｂは、複数のユーザについての登録されたカラーパターンを類似色ごとにまとめた頻度分布を示した図である。
【図１３】図１３は、類似のカラーパターンを指定したユーザの組み合わせ数を示した図である。
【図１４】図１４は、調整される頻度が高いと判別された範囲の指定の粒度を高く変更する一例を示す図である。
【図１５】図１５は、照明に対して関心が低いタイプのユーザのログの一例を示す図である。
【図１６】図１６は、照明に対して関心が低いタイプのユーザのログの一例を示す図である。
【図１７】図１７は、照明に対して関心が高いタイプのユーザのログの一例を示す図である。
【図１８】図１８は、照明に対して関心が高いタイプのユーザのログの一例を示す図である。
【図１９】図１９は、照明に対して関心が高い理想追求型のタイプのユーザのログの一例を示す図である。
【図２０】図２０は、照明に対して関心が高いカラフル型のタイプのユーザのログの一例を示す図である。
【図２１】図２１は、操作パネル制御処理の手順の一例を示すフローチャートである。
【図２２】図２２は、タッチパネル制御処理の手順の一例を示すフローチャートである。
【図２３】図２３は、カラーパターンを共有するシステムの機能的な構成の一例を示す図である。
【図２４】図２４は、照明制御プログラムを実行するコンピュータを示す図である。
【発明を実施するための形態】
【００１１】
以下に、本実施例に係る照明システム、照明制御装置、照明制御プログラムおよび照明制御方法の実施例を図面に基づいて詳細に説明する。なお、この実施例によりこの発明が限定されるものではない。
【実施例１】
【００１２】
［照明システムの代表的な構成］
最初に、本実施例に係る照明システムの代表的な構成を説明する。図１は、照明システムの構成の一例を示す図である。照明システム１０は、照明装置１１、１２と、照明制御装置２０と、操作パネル２１と、タッチパネル２２とを有する。
【００１３】
照明装置１１、１２は、それぞれ発する光の色および明るさを変更可能とされている。例えば、照明装置１１、１２は、ＲＧＢ（赤緑青）の各色の光を発するＬＥＤなどの発光素子が内蔵され、それぞれの各色の発光素子の発光量を制御することにより、発する光の色および明るさが変更可能とされている。また、照明装置１１、１２は、各色の発光素子を制御する制御部や無線通信が可能な通信部が内蔵されており、無線通信により発する光の色および明るさの遠隔操作が可能とされている。このような照明装置としては、例えば、Philips社のhueが挙げられる。なお、照明装置１１、１２は、Philips社のhueに限定されるものではなく、上記の機能を実現できれば何れであってもよい。例えば、照明装置１１、１２は、ＲＧＢの各色の光を発する光源と、光源を制御する制御ユニットと、通信ユニットとにより構成されてもよい。また、光源と制御ユニットと通信ユニットは、それぞれ別に分かれて設置されてもよい。
【００１４】
照明装置１１は、部屋の上方に配置され、部屋全体を照らす環境照明として機能しており、発する光の色および明るさを変えることにより、部屋全体の色および明るさが変化する。なお、図１等では、図示を簡略化するため、照明装置１１を１つとしているが、照明装置１１は、必要な明るさを得るため、複数設けてもよい。
【００１５】
照明装置１２は、机の上に配置され、机の上を照らす。ここで、一般のユーザは、店舗などにおいて、ベース照明やダウンライト、間接照明装置飾照明として、部屋の一部の色および明るさを変えた照明を見る機会がある。照明装置１２は、ベース照明やダウンライト、間接照明装置飾照明を模したものであり、発する光の色および明るさを変えることにより、部屋の一部分の色および明るさが変化する。図１の例では、机の上や机に面する壁の色および明るさが変化する。
【００１６】
照明制御装置２０は、照明装置１１、１２を制御する装置である。例えば、照明制御装置２０は、パーソナルコンピュータやサーバコンピュータなどのコンピュータである。なお、照明制御装置２０は、タブレット端末などの携帯端末装置であってもよい。操作パネル２１およびタッチパネル２２は、ユーザからの各種の操作を受け付ける装置である。照明制御装置２０、操作パネル２１およびタッチパネル２２の詳細は、後述する。
【００１７】
図２は、照明システムの機能的な構成の一例を示す図である。照明制御装置２０は、操作パネル２１と、タッチパネル２２が通信可能に接続されている。また、照明制御装置２０は、ＬＡＮ（Local  Area  Network）などの有線のネットワークＮを介してブリッジ１３が接続されている。ブリッジ１３は、照明装置１１、１２とZigBee（登録商標）などの無線通信により通信可能とされている。照明制御装置２０は、ネットワークＮおよびブリッジ１３を介して、照明装置１１、１２を制御する。なお、図２に示した照明システム１０の構成は、一例であり、これに限定されるものではない。例えば、照明制御装置２０は、無線ＬＡＮ（Local  Area  Network）、Bluetooth（登録商標）、移動体通信などの無線通信や有線通信により照明装置１１、１２と通信可能としてもよい。
【００１８】
［操作パネルの構成］
次に、本実施例に係る操作パネル２１について説明する。図３Ａは、操作パネルの一例を示す図である。操作パネル２１は、表示部３０と、ホイール３１とを有する。ホイール３１は、左右への回転操作と押圧（プッシュ）操作とが可能とされ、表示部３０の中央部分に固定されている。
【００１９】
照明システム１０は、３軸のパラメータの色空間で照明装置１１、１２の明るさや色合いを指定することが可能とされている。操作パネル２１は、色空間の３軸のパラメータの指定を２軸の指定操作で受け付ける。本実施例では、色相、彩度、明度を３軸のパラメータとするＨＳＢの色空間で明るさや色合いの指定を受け付ける。ＨＳＢの色空間では、明るさに関して、明度と彩度という２つのパラメータを制御する必要がある。そこで、操作パネル２１は、色相と、明度および彩度との２軸を切り替えて１つのホイール３１の回転操作で指定を受け付ける。なお、本実施例では、明るさや色合いを指定する色空間を、ＨＳＢの色空間とするが、ＬａｂやＲＧＢなど他の色空間を用いてもよい。
【００２０】
図３Ｂは、操作パネルによる色相の指定範囲の一例を示す図である。本実施例では、色合いを指定する軸として、ホイール３１の回転操作に応じて、色相を赤、黄、緑、水色、青、紫、赤と様相を徐々に変化させる。なお、図３Ｂでは、それぞれに色に対応する部分に文字で色を示しており、色相は徐々に滑らかに変化している。
【００２１】
図３Ｃは、操作パネルによる明度および彩度の指定範囲の一例を示す図である。本実施例では、明るさを指定する軸として、ホイール３１の回転操作に応じて、明度と彩度を徐々に変化させる。例えば、本実施例では、線Ｌ１に示すように、ホイール３１の回転操作に応じて、明度０％および彩度１００％から明度１００％および彩度１００％を経て明度１００％および彩度０％の範囲で変化させる。
【００２２】
操作パネル２１は、押圧操作により、指定するパラメータの切り替えが可能とされており、回転操作によりパラメータを変更する。また、操作パネル２１は、表示部３０のホイール３１の周囲の円環状の領域３２に、指定するパラメータに応じた色が表示される。なお、本実施例では、操作パネル２１に対する押圧操作により、指定するパラメータの切り替える場合を説明するが、操作パネル２１を複数設けてそれぞれの異なるパラメータを操作可能としてもよい。例えば、照明システム１０は、操作パネル２１を２台設けて明度および彩度と、色相とをそれぞれ操作可能としてもよい。
【００２３】
図３Ｄは、操作パネルに表示される色の一例を示す図である。操作パネル２１は、押圧操作により、指定するパラメータの切り替えが可能とされており、領域３２に図３Ｄの（Ａ）と（Ｂ）が切り替えて表示される。
【００２４】
図３Ｄの（Ａ）は、明度および彩度を指定する場合を示している。領域３２は、中央が明度１００％および彩度１００％とされている。また、領域３２は、中央から左側に回転するほど明度が低下し、左側の端が明度０％および彩度１００％とされている。また、領域３２は、中央から右側に回転するほど彩度が低下し、右側の端が明度１００％および彩度０％とされている。すなわち、操作パネル２１は、明度および彩度の指定において、ホイール３１の右半分が彩度制御に特化、左半分が明度制御に特化しており、右半分では明度が１００％に固定され、左半分では逆に彩度が１００％に固定されている。これにより、明度および彩度の指定では、ホイール３１の回転操作に応じて、明度および彩度の値が図３Ｃの線Ｌ１上を移動する。ここで、本実施例では、明るさの制御を、明度を１００％に固定した彩度制御と、彩度を１００％に固定した明度制御に分けて特化させているため、暗い赤ではなく、くすんだ暗い赤といった色を選択することはできない。しかし、照明装置１１、１２による色再現性は、コンピュータの画面の色ほどには高くなく、ユーザは、暗い赤と、くすんだ暗い赤の肉眼での区別は困難である。このため、本実施例のように、明るさの制御を、明度を１００％に固定した彩度制御と、彩度を１００％に固定した明度制御に分けて特化させても、色選択の自由度が減るという実利用上のデメリットは低い。
【００２５】
図３Ｄの（Ｂ）は、色相を指定する場合を示している。領域３２は、左側の端から右側の端へ順に赤、黄、緑、水色、青、紫、赤と様相を徐々に変化させて色が表示される。なお、図３Ｄの（Ｂ）でも、それぞれに色に対応する部分に文字で色を示しているが、色相は徐々に滑らかに変化している。操作パネル２１は、色相の指定において、ホイール３１の回転操作に応じて、指定する色相が変化する。なお、色相は、回転操作に応じて、循環的に変化させてもよい。例えば、色相は、ホイール３１の右側への回転操作に応じて、右側の端の赤に到達すると、左側の端の赤に移ってもよい。
【００２６】
［タッチパネルの構成］
次に、本実施例に係るタッチパネル２２について説明する。タッチパネル２２は、各種情報を表示する。例えば、タッチパネル２２は、照明の制御に関する操作画面など各種の画面を表示する。また、タッチパネル２２は、各種の情報の入力を受け付ける。例えば、タッチパネル２２は、操作画面に対するタッチ操作により、照明の制御に関する各種の情報の入力を受け付ける。タッチパネル２２としては、タブレット端末などを用いてもよい。
【００２７】
図４は、タッチパネルに表示される操作画面の一例を示す図である。操作画面４０は、制御する照明装置を指定する照明指定領域４１が設けられている。本実施例では、照明指定領域４１は、制御対象の照明装置が環境照明であることを指定する第１領域４１Ａと、制御対象の照明装置が机上照明であることを指定する第２領域４１Ｂとに分かれている。ユーザは、環境照明を制御対象とする場合、第１領域４１Ａを選択し、机上照明を制御対象とする場合、第２領域４１Ｂを選択する。第１領域４１Ａおよび第２領域４１Ｂは、制御対象とされた方に「○」マークが表示される。図４の例では、第１領域４１Ａに「○」マークが表示されていることから、環境照明が制御対象とされている。第１領域４１Ａおよび第２領域４１Ｂは、操作パネル２１で指定された色および明るさで表示される。また、第１領域４１Ａおよび第２領域４１Ｂは、制御対象とされると、操作パネル２１の操作に応じて色および明るさが変化する。
【００２８】
操作画面４０は、カラーパターンの登録を指示するパターン登録ボタン４２と、登録されたカラーパターン４３を表示するパターン領域４４とが設けられている。操作画面４０は、パターン登録ボタン４２が選択されると、パターン登録ボタン４２が選択された時点の照明装置１１、１２の色および明るさでカラーパターン４３が登録される。パターン領域４４には、登録された各カラーパターン４３が表示される。カラーパターン４３も、第１領域４３Ａおよび第２領域４３Ｂに分かれており、パターン登録ボタン４２が選択された時点の照明指定領域４１の第１領域４１Ａの色および明るさでカラーパターン４３の第１領域４３Ａが表示され、パターン登録ボタン４２が選択された時点の照明指定領域４１の第２領域４１Ｂの色および明るさでカラーパターン４３の第２領域４３Ｂが表示される。操作画面４０は、パターン領域４４の何れかのカラーパターン４３が選択されると、照明指定領域４１の第１領域４１Ａおよび第２領域４１Ｂの色および明るさの設定値が、選択されたカラーパターン４３の第１領域４３Ａおよび第２領域４３Ｂの色および明るさの設定値に変更される。操作画面４０は、ユーザが保存しておきたい状態となった照明装置１１、１２の色および明るさをパターン登録ボタン４２によりカラーパターン４３として登録できる。また、操作画面４０は、カラーパターン４３を選択することによっても、照明装置１１、１２の色および明るさを登録済みのカラーパターン４３の状態に変更できる。
【００２９】
操作画面４０の照明指定領域４１および各カラーパターン４３には、照明装置１１、１２の色および明るさが好みであり、支持することを登録するお気に入りボタン４５が設けられている。また、各カラーパターン４３には、お気に入りとされた回数を表示する領域４６が設けられている。
【００３０】
［照明制御装置の構成］
次に、本実施例に係る照明制御装置２０の構成について説明する。図５は、照明制御装置の機能的な構成の一例を示した図である。図５に示すように、照明制御装置２０は、通信Ｉ／Ｆ（インタフェース）部５０と、記憶部５１と、制御部５２とを有する。なお、照明制御装置２０は、上記の機器以外にコンピュータや携帯端末装置が有する他の機器を有してもよい。
【００３１】
通信Ｉ／Ｆ部５０は、他の装置との間で通信制御を行うインタフェースである。例えば、通信Ｉ／Ｆ部５０は、ネットワークＮおよびブリッジ１３を介して、照明装置１１、１２と各種情報を送受信する。
【００３２】
記憶部５１は、ハードディスク、ＳＳＤ、光ディスクなどの記憶装置である。なお、記憶部５１は、ＲＡＭ、フラッシュメモリ、ＮＶＳＲＡＭなどのデータを書き換え可能な半導体メモリであってもよい。
【００３３】
記憶部５１は、制御部５２で実行されるＯＳ（Operating  System）や各種プログラムを記憶する。例えば、記憶部５１は、後述する情報処理を含む各種の処理を実行するプログラムを記憶する。さらに、記憶部５１は、制御部５２で実行されるプログラムで用いられる各種データを記憶する。例えば、記憶部５１は、照明情報６０と、カラーパターン情報６１と、ログ情報６２とを記憶する。
【００３４】
照明情報６０は、制御対象とする照明装置に関する情報を記憶したデータである。本実施例では、照明情報６０には、照明装置１１、１２に関する情報が記憶されている。図６は、照明情報のデータ構成の一例を示す図である。図６に示すように、照明情報６０は、「ランプ名」、「識別コード」、「種別」などの項目を有する。なお、図６に示した照明情報６０の各項目は、一例であり、その他の項目を有してもよい。また、照明情報６０のデータ構成も一例であり、これに限定されるものではない。
【００３５】
ランプ名の項目は、設置された照明装置の名称を記憶する領域である。本実施例に係る照明システム１０では、照明装置を識別するため、照明装置に名称を付けることが可能とされている。照明装置の名称は、自動で付けてもよく、ユーザが付けてもよい。ランプ名の項目には、照明装置に付けられた名称が格納される。識別コードの項目は、照明装置を識別する識別子を記憶する領域である。照明装置は、製造番号など、それぞれ識別する識別子が設定される。識別コードの項目には、照明に設定された識別子が格納される。種別の項目は、照明装置の種別を記憶する領域である。本実施例では、種別として、照明装置が環境照明であるか、机上照明であるかが格納される。
【００３６】
図６の例では、ランプ名の項目が「ランプ１」の照明装置は、照明装置１１であり、識別コードの項目に照明装置１１の識別子「ＸＸＸＸＸＸ・・・」が格納され、種別の項目に「環境照明」が格納されている。ランプ名の項目が「ランプ２」の照明装置は、照明装置１２であり、識別コードの項目に照明装置１２の識別子「ＸＸＸＸＸＸ・・・」が格納され、種別の項目に「机上照明」が格納されている。
【００３７】
カラーパターン情報６１は、登録された色および明るさのカラーパターンに関する情報を記憶したデータである。図７は、カラーパターン情報のデータ構成の一例を示す図である。図７に示すように、カラーパターン情報６１は、「パターンＩＤ」、「登録ユーザ」、「タイプ」、「環境照明」、「机上照明」、「お気に入り回数」、「登録日時」などの項目を有する。なお、図７に示したカラーパターン情報６１の各項目は、一例であり、その他の項目を有してもよい。また、カラーパターン情報６１のデータ構成も一例であり、これに限定されるものではない。
【００３８】
パターンＩＤの項目は、カラーパターンを識別する識別子を記憶する領域である。カラーパターンには、識別子として、ユニークなパターンＩＤが付与される。例えば、カラーパターンには、登録された順に番号がパターンＩＤとして付与される。パターンＩＤの項目には、カラーパターンに付与されたパターンＩＤが格納される。登録ユーザの項目は、カラーパターンを登録したユーザを記憶する領域である。登録ユーザの項目には、カラーパターンがユーザによって登録された場合、登録したユーザ名が格納され、カラーパターンが予め登録されたプリセットのデータである場合、「−」が格納される。タイプの項目は、カラーパターンをタイプ別に分けた場合のタイプを示す情報を記憶する領域である。タイプの項目には、カラーパターンのタイプが定まっている場合、カラーパターンのタイプを表す情報が格納され、カラーパターンのタイプが定まっていない場合、「−」が格納される。例えば、タイプの項目には、予め定められカラーパターンのタイプや、カラーパターンを登録したユーザのタイプが格納される。環境照明の項目は、種別が環境照明の照明装置を発光させる明るさや色合いに関する情報を記憶する領域である。環境照明の項目には、例えば、明るさや色合いに関する情報として、色相、明度、彩度の各値が記憶される。机上照明の項目は、種別が机上照明の照明装置を発光させる明るさや色合いに関する情報を記憶する領域である。机上照明の項目には、例えば、明るさや色合いに関する情報として、色相、明度、彩度の各値が記憶される。環境照明および机上照明の項目に記憶される情報は、例えば、ＲＧＢなど、他の色空間で表されたパラメータの値であってもよい。お気に入り回数の項目は、カラーパターンがお気に入りとして選択された回数を記憶する領域である。登録日時の項目は、カラーパターンが登録された日時を記憶する領域である。登録日時の項目には、カラーパターンがユーザによって登録された場合、カラーパターンが登録された日時が格納され、カラーパターンが予め登録されたプリセットのデータである場合、未登録であることを示す「−」が格納される。
【００３９】
図７の例では、パターンＩＤが「１」のカラーパターンは、登録ユーザが「−」であることから予め登録されたプリセットのデータであり、タイプが「１」であり、環境照明の明るさや色合いが「ＸＸＸＸＸＸ」であり、机上照明の明るさや色合いが「ＸＸＸＸＸＸ」であり、お気に入り回数が「１」回であり、登録日時が「−」であることから未登録であることを示す。また、パターンＩＤが「１００」のカラーパターンは、登録ユーザが「Ａ」であることからユーザ「Ａ」が登録したデータであり、タイプが「−」であることからカラーパターンのタイプが定まっておらず、環境照明の明るさや色合いが「ＸＸＸＸＸＸ」であり、机上照明の明るさや色合いが「ＸＸＸＸＸＸ」であり、お気に入り回数が「３」回であり、登録日時が「１/１０  １１：００」であることから未登録であることを示す。
【００４０】
ログ情報６２は、ユーザが操作パネル２１を操作して照明装置１１、１２の色および明るさを変更した際の操作ログを記憶したデータである。図８は、ログ情報のデータ構成の一例を示す図である。図８に示すように、ログ情報６２は、「ユーザ」、「時間」、「操作量１」、「操作量２」、「操作量３」、「操作量４」などの項目を有する。なお、図８に示したログ情報６２の各項目は、一例であり、その他の項目を有してもよい。また、ログ情報６２のデータ構成も一例であり、これに限定されるものではない。
【００４１】
ユーザの項目は、操作パネル２１を操作したユーザを記憶する領域である。ユーザの項目には、操作パネル２１を操作したユーザ名が格納される。時間の項目は、ログの記録開始からの経過時間を記憶する領域である。操作量１の項目は、環境照明の色相に関する操作量を記憶する領域である。操作量１の項目には、操作量として、操作パネル２１で環境照明の色相を指定した際のホイール３１の回転位置の情報が記憶される。なお、操作量は、色相の値であってもよい。操作量２の項目は、環境照明の明度および彩度に関する操作量を記憶する領域である。操作量２の項目には、操作量として、操作パネル２１で環境照明の明度および彩度を指定した際のホイール３１の回転位置の情報が記憶される。なお、操作量は、明度および彩度の値であってもよい。操作量３の項目は、机上照明の色相に関する操作量を記憶する領域である。操作量３の項目には、操作量として、操作パネル２１で机上照明の色相を指定した際のホイール３１の回転位置の情報が記憶される。なお、操作量は、色相の値であってもよい。操作量４の項目は、机上照明の明度および彩度に関する操作量を記憶する領域である。操作量４の項目には、操作量として、操作パネル２１で机上照明の明度および彩度を指定した際のホイール３１の回転位置の情報が記憶される。なお、操作量は、明度および彩度の値であってもよい。
【００４２】
図８の例では、ユーザ「Ａ」は、ログの記録開始からの経過時間が「０．０１」秒の時点で、操作量１が「１００」であり、操作量２が「３００」であり、操作量３が「５０」であり、操作量４が「２００」であることを示す。なお、ログ情報６２は、経過時間ではなく、操作された操作日時を格納してもよい。例えば、ログ情報６２には、ＪＳＴ（日本標準時）で年月日と時刻をミリ秒単位で操作日時を格納してもよい。また、ログ情報６２には、操作量だけでなく、パターンの登録、お気に入りの投票等のすべての活動を記録されてもよい。
【００４３】
図５に戻り、制御部５２は、照明制御装置２０を制御するデバイスである。制御部５２としては、ＣＰＵ、ＭＰＵ等の電子回路や、ＡＳＩＣ、ＦＰＧＡ等の集積回路を採用できる。制御部５２は、図示しない入出力インタフェースを介して操作パネル２１およびタッチパネル２２と接続されており、操作パネル２１およびタッチパネル２２と各種の情報を送受信する。例えば、制御部５２は、操作パネル２１およびタッチパネル２２から、操作パネル２１およびタッチパネル２２に対して行われた操作内容を示す各種の操作情報が入力される。また、制御部５２は、操作パネル２１およびタッチパネル２２に表示する画面の画像情報を操作パネル２１およびタッチパネル２２に出力する。
【００４４】
制御部５２は、各種の処理手順を規定したプログラムや制御データを格納するための内部メモリを有し、これらによって種々の処理を実行する。制御部５２は、各種のプログラムが動作することにより各種の処理部として機能する。例えば、制御部５２は、表示制御部７０と、照明制御部７１と、記録部７２と、判別部７３と、変更部７４と、登録受付部７５と、特定部７６とを有する。
【００４５】
表示制御部７０は、操作パネル２１およびタッチパネル２２の表示を制御する。例えば、表示制御部７０は、操作パネル２１から入力されるホイール３１の操作情報に応じて、操作パネル２１およびタッチパネル２２へ画像情報を送信して操作パネル２１およびタッチパネル２２に表示される画面を変更する。例えば、表示制御部７０は、ホイール３１の押圧操作に応じて、操作パネル２１に表示される画面を図３Ｄの（Ａ）と（Ｂ）との間で切り替える。また、表示制御部７０は、ホイール３１の回転操作に応じて、図３Ｄの（Ａ）と（Ｂ）の指定位置を変化させる。また、表示制御部７０は、指定位置の変化に応じてタッチパネル２２の操作画面４０の照明指定領域４１の色および明るさを変化させる。また、表示制御部７０は、タッチパネル２２の操作情報に応じて、タッチパネル２２へ画像情報を送信してタッチパネル２２に表示される操作画面４０を変更する。
【００４６】
登録受付部７５は、カラーパターンの情報をカラーパターン情報６１に登録する。例えば、登録受付部７５は、操作画面４０のパターン登録ボタン４２が選択されると、パターン登録ボタン４２が選択された時点の照明装置１１、１２の色および明るさでカラーパターンの情報をカラーパターン情報６１に登録する。登録受付部７５は、後述する特定部７６によりユーザのタイプが特定されている場合、ユーザのタイプもカラーパターンの情報に対応づけてカラーパターン情報６１に登録する。表示制御部７０は、登録した照明装置１１、１２の色および明るさのカラーパターン４３をパターン領域４４に追加表示する。
【００４７】
照明制御部７１は、ホイール３１の操作情報およびタッチパネル２２の操作情報に応じて、照明装置１１、１２の色および明るさを制御する。例えば、照明制御部７１は、操作画面４０の照明指定領域４１の第１領域４１Ａまたは第２領域４１Ｂへのタッチ操作に応じて、制御対象とする照明装置を照明装置１１、１２間で切り替える。そして、照明制御部７１は、ホイール３１への操作に応じて、制御対象の照明装置の色および明るさを変化させる。例えば、照明制御部７１は、ホイール３１により指定された色相、明度、彩度の各値をＲＧＢの各値に変換し、変換したＲＧＢの各値を制御対象の照明装置へ送信する。制御対象とされた照明装置は、受信したＲＧＢの各値に対応させて各色の発光素子を発光させる。
【００４８】
また、照明制御部７１は、タッチパネル２２の操作情報から、カラーパターン４３へのタッチ操作が検出されると、タッチ操作されたカラーパターン４３の色および明るさに照明装置１１、１２の色および明るさを変化させる。例えば、照明制御部７１は、カラーパターン情報６１の環境照明および机上照明の項目から、タッチ操作されたカラーパターン４３の環境照明および机上照明の色相、明度、彩度の各値を読み出し、色相、明度、彩度の各値をＲＧＢの各値にそれぞれ変換する。そして、照明制御部７１は、変換した環境照明のＲＧＢの各値を照明装置１１へ送信し、変換した机上照明のＲＧＢの各値を照明装置１２へ送信する。照明装置１１、１２は、それぞれ受信したＲＧＢの各値に対応させて各色の発光素子を発光させる。
【００４９】
記録部７２は、照明装置１１、１２の色および明るさの指定操作のログをログ情報６２に記録する。例えば、記録部７２は、ホイール３１の操作情報から、照明装置１１、１２の色および明るさを変更した際の操作ログをログ情報６２に記憶する。また、記録部７２は、カラーパターン４３へのタッチ操作が検出されると、タッチ操作されたカラーパターン４３の色相、明度、彩度に対応した色および明るさについてのホイール３１の回転位置の情報をログ情報６２に記憶する。記録部７２は、一定期間ごとに、照明装置１１、１２の色相と、明度、彩度の指定位置をログ情報６２に記憶させてもよく、照明装置１１または照明装置１２の色相、明度、彩度が変更されたタイミングで照明装置１１、１２の色相と、明度、彩度の指定位置をログ情報６２に記憶させてもよい。
【００５０】
判別部７３は、ログ情報６２に記憶されたログに基づき、調整される頻度が高い色および明るさの範囲を判別する。
【００５１】
変更部７４は、調整される頻度が高いと判別された範囲の色および明るさの指定の粒度を当該判別された範囲以外の範囲よりも高く変更する。
【００５２】
特定部７６は、操作パネル２１を操作するユーザのタイプを特定する。
【００５３】
ここで、具体的な例を用いて説明する。照明制御装置２０は、操作するユーザのユーザ名の入力を受け付ける。ユーザ名は、タッチパネル２２からソフトウェアキーボードなどにより入力されてもよく、事前に登録されたユーザ名から選択してもよい。なお、ユーザ名の入力は必須ではなく、装置が自動でユーザ名を定めてもよい。
【００５４】
ユーザは、操作パネル２１やタッチパネル２２を操作して、照明装置１１、１２の色および明るさを調整する。図９は、照明装置の色および明るさの調整を模式的に示した図である。例えば、ユーザは、タッチパネル２２の操作画面４０の照明指定領域４１の第１領域４１Ａまたは第２領域４１Ｂに対してタッチ操作して、制御対象の照明装置を、環境照明である照明装置１１または机上照明である照明装置１２に切り替える。図９の例では、第１領域４１Ａに「○」マークが表示されていることから、照明装置１１が制御対象とされている。
【００５５】
そして、ユーザは、操作パネル２１のホイール３１を押圧操作により、指定するパラメータを色相と、明度および彩度との間で切り替え、ホイール３１の回転操作により、パラメータの値を変化させる。照明制御部７１は、ホイール３１への操作に応じて、制御対象の照明装置の色および明るさを変化させる。
【００５６】
ユーザは、照明装置１１、１２の色および明るさを登録する場合、操作画面４０のパターン登録ボタン４２を選択する。登録受付部７５は、パターン登録ボタン４２が選択されると、パターン登録ボタン４２が選択された時点の照明装置１１、１２の色および明るさでカラーパターンの情報をカラーパターン情報６１に登録する。操作画面４０には、登録された照明装置１１、１２の色および明るさに対応したカラーパターン４３が追加表示される。
【００５７】
ユーザは、タッチパネル２２に表示されたカラーパターン４３の色および明るさに変更する場合、カラーパターン４３にタッチ操作する。照明制御部７１は、カラーパターン４３へのタッチ操作が検出されると、照明装置１１、１２の色および明るさをタッチ操作されたカラーパターン４３の色および明るさに変化させる。
【００５８】
記録部７２は、入力を受け付けたユーザ名で、照明装置１１、１２の色および明るさを変更した際の操作ログをログ情報６２に記録する。図１０は、ログ情報に記録されたログを模式的に示した図である。図１０に示すように、ログ情報６２には、環境照明である照明装置１１と机上照明である照明装置１２の色相、明度、彩度の変化が記録される。なお、図１０の例では、環境照明と机上照明についての色相と、明度および彩度の経時的な変化の波形が示されている。なお、記録部７２は、ログ情報６２に、操作量の操作ログだけでなく、パターンの登録、お気に入りの投票等のすべての活動を記録してもよい。
【００５９】
ここで、人間の心理が、周りを取り巻く色によって影響を受けることは、色彩心理学の分野で長く研究されてきている。例えば、色の違いは、寒暖感や清涼感、軽快さ、沈静感といった印象の違いに影響を与えるとされている。例えば、保育園や病院の壁の色はこういった知見に基づき細やかに選ばれている。家庭内でも壁紙やカーテンなどインテリアの色は部屋の印象を大きく左右する。しかし、インテリアの色は一旦決めると変更できないため、日々変化する人間の心理状態や、住民のスタイル変化に合わなくなる場合がある。
【００６０】
一方、照明システム１０は、照明色を自由に選ぶことができるため、生活する人の心理状態やスタイルに適した色を自由に選ぶことで、ＱＯＬ（quality  of  life）の向上に寄与できる可能性がある。例えば、照明システム１０は、生活する人の心理状態やスタイルに適した照明に変更できるため、快適性や活力を向上させることができ、くつろぎ・快適性を向上させることができる。また、照明システム１０は、調理や読書など作業で必要な明るさを適切に提供できるため、作業性を向上させることができる。また、照明システム１０は、色や明るさを変更できるため、例えば、パーティーや映画鑑賞などの活動を照明で演出でき、エンターテインメント性を提供できる。また、照明システム１０は、色や明るさを変えることで、メール着信や火災報知機の警報などの通知を行うことができる。
【００６１】
ところで、ユーザが好む色は、ユーザ自身の過去の経験などの影響があり、多様である。また、ユーザが好む色は、季節、気温、文化的背景、時間帯、活動目的、活発度合いによって異なる。例えば、寒色系の色は夏に好まれ、朝は色温度が高い色、夕方は低い色が好まれる。さらに、男女差や年齢差、個人の嗜好、生活のシチュエーションといった要素も当然加味されることになる。
【００６２】
図１１Ａおよび図１１Ｂは、複数のユーザについての登録されたカラーパターンの色および明るさの頻度分布を示した図である。図１１Ａは、環境照明である照明装置１１について登録されたカラーパターン４３の色および明るさの頻度分布を示しており、図１１Ｂは、机上照明である照明装置１２について登録されたカラーパターン４３の色および明るさの頻度分布を示している。同様の色および明るさで登録されたカラーパターン４３の数が多いほど大きい丸印を示している。図１１Ａおよび図１１Ｂから、ユーザは、照明装置の色および明るさが調整可能である場合、色および明るさの嗜好が様々あり、色および明るさの異なる様々なカラーパターン４３が登録されることが判明した。また、ユーザは、照明装置の色および明るさに細かいこだわりがあり、色および明るさの少し異なるカラーパターン４３が多く登録された。特に、青色については、色および明るさの少し異なるカラーパターン４３が多く登録された。
【００６３】
図１２Ａおよび図１２Ｂは、複数のユーザについての登録されたカラーパターンを類似色ごとにまとめた頻度分布を示した図である。図１２Ａは、図１１Ａを類似色ごとにまとめた頻度分布を示しており、図１２Ｂは、図１１Ｂを類似色ごとにまとめた頻度分布を示している。図１２Ａおよび図１２Ｂでは、色および明るさを類似色ごとに７０色のパターンに分けて頻度分布を示している。
【００６４】
図１３は、類似のカラーパターンを指定したユーザの組み合わせ数を示した図である。図１３には、斜線により、５０人のユーザが登録したカラーパターンについて、環境照明と机上照明が共に類似色となる類似のカラーパターンを登録したユーザ数を示している。また、図１３には、実線により、５０人のユーザが登録したカラーパターンについて、環境照明と机上照明が共に類似色となる類似のカラーパターンが登録された登録数を示している。図１３の例では、４個の類似のカラーパターンを４人が登録されており、１０個の類似のカラーパターンを３人が登録されており、３０個の類似のカラーパターンを２人が登録されている。そして、残りの１６４個のカラーパターンは、１人のみが登録している。また、図１３の例では、１個のカラーパターンが５回登録されており、５個のカラーパターンが４回登録されており、１２個のカラーパターンが３回登録されており、４２個のカラーパターンが２回登録されており、そして、残りの１４８個のカラーパターンは、１人のみが登録している。ここで、カラーパターンは、複数登録でき、１人のユーザが類似のカラーパターンを複数登録する場合もある。このため、類似のカラーパターンを登録したユーザ数と、類似のカラーパターンが登録された登録数の分布は、異なっている。図１３に示されるように、カラーパターン４３としては、様々な色の組み合わせが登録され、１人のみが登録しているカラーパターン４３の数が多い。このことから、ユーザの照明装置の色および明るさに対する嗜好は、ロングテールであり、数パターン程度では個々のユーザが本来望む色や明るさを調整できないことが判明した。
【００６５】
ところで、ユーザは、照明装置を好みの色および明るさに調整する場合、操作パネル２１の微調整を繰り返すため、狭い範囲で色および明るさの指定が繰り返される。そこで、判別部７３は、ログ情報６２に記憶されたログに基づき、調整される頻度が高い色および明るさの範囲を判別する。例えば、判別部７３は、現時点から直近の所定時間（例えば、１５秒）の間に、色および明るさが所定範囲内で所定回（例えば、８回）指定されたか否かにより、調整される頻度が高い色および明るさの範囲を判別する。なお、例えば、判別部７３は、ログ情報６２に記憶されたログから、所定の色および明るさの範囲ごとに、操作パネル２１で指定された頻度を算出し、頻度が所定の閾値以上である範囲を、調整される頻度が高い色および明るさの範囲と判別してもよい。
【００６６】
変更部７４は、調整される頻度が高いと判別された範囲の色および明るさの指定の粒度を当該判別された範囲以外の範囲よりも高く変更する。例えば、変更部７４は、操作パネル２１の調整される頻度が高いと判別された範囲の色および明るさの指定の粒度を高く変更する。図１４は、調整される頻度が高いと判別された範囲の指定の粒度を高く変更する一例を示す図である。例えば、青色の範囲Ｂ１について調整される頻度が高い場合、変更部７４は、図１４に示すように青色の範囲Ｂ１を範囲Ｂ２に拡大して、青色をより細かく色の指定を可能に変更する。これにより、ユーザが色や明るさを微調整する場合に、色や明るさを調整しやすくすることができる。
【００６７】
また、ユーザは、様々なタイプがあることが判明した。例えば、ログ情報６２に記憶されたログから照明に対して関心が高いタイプと関心が低いタイプを判別できることが判明した。図１５は、照明に対して関心が低いタイプのユーザのログの一例を示す図である。照明に対して関心が低いタイプのユーザは、色や明るさの操作開始後、時間が経過すると、操作頻度が低下する。図１５の例では、４００秒以降、操作がほぼ停止している。
【００６８】
そこで、特定部７６は、ログ情報６２に記憶されたログから、操作パネル２１を操作するユーザのタイプを特定する。例えば、特定部７６は、操作期間を複数の期間に分けて操作頻度を算出し、操作頻度が閾値以下に低下している期間が所定数続いた場合、ユーザを照明に対して関心が低いタイプと特定する。また、例えば、特定部７６は、操作期間を前半の期間と後半の期間に分けて操作頻度を算出し、前半の期間より後半の期間の操作頻度が所定以上低下している場合、ユーザを照明に対して関心が低いタイプと特定する。図１６の（Ａ）、（Ｂ）は、照明に対して関心が低いタイプのユーザのログの一例を示す図である。例えば、図１６の（Ａ）、（Ｂ）に示すログの場合、特定部７６は、ユーザは照明に対して関心が低いタイプと特定される。
【００６９】
図１７、図１８は、照明に対して関心が高いタイプのユーザのログの一例を示す図である。照明に対して関心が高いタイプは、色や明るさの調整を繰り返す。図１７の例では、操作終了となる９００秒まで調整が繰り返されている。例えば、特定部７６は、操作期間を複数の期間に分けて操作頻度を算出し、操作頻度が閾値以下に低下している期間が所定数連続していない場合、照明に対して関心が高いタイプのユーザと特定する。
【００７０】
また、照明に対して関心が高いタイプにも、理想とする色や明るさへの調整を追求する理想追求型のタイプと、様々な色や明るさへ変化させるカラフル型のタイプがある。図１７は、照明に対して関心が高い理想追求型のログであり、色や明るさが特定の範囲に高頻度で出現する。図１８は、照明に対して関心が高いカラフル型のログであり、色や明るさが様々に変化する。例えば、特定部７６は、操作期間を複数の期間に分けて操作頻度を算出し、操作頻度が閾値以下に低下している期間が所定数連続せず、色や明るさが高頻度で出現する特定の範囲がある場合、理想追求型のタイプと特定する。一方、特定部７６は、操作期間を複数の期間に分けて操作頻度を算出し、操作頻度が閾値以下に低下している期間が所定数連続せず、色や明るさが高頻度で出現する特定の範囲がない場合、カラフル型のタイプと特定する。図１９の（Ａ）、（Ｂ）は、照明に対して関心が高い理想追求型のタイプのユーザのログの一例を示す図である。例えば、図１９の（Ａ）、（Ｂ）に示すログの場合、特定部７６は、ユーザは照明に対して関心が高い理想追求型のタイプと特定される。図２０の（Ａ）、（Ｂ）は、照明に対して関心が高いカラフル型のタイプのユーザのログの一例を示す図である。例えば、図２０の（Ａ）、（Ｂ）に示すログの場合、特定部７６は、ユーザは照明に対して関心が高いカラフル型のタイプと特定される。
【００７１】
表示制御部７０は、何れかのカラーパターン４３が選択されると、選択されたカラーパターン４３から色および明るさが近い順に登録済みの他のカラーパターン４３を表示する。また、表示制御部７０は、特定部７６により特定されたユーザのタイプに応じたカラーパターン４３を表示する。例えば、選択が行いやすいように照明に対して関心が低いタイプ用のカラーパターン４３をカラーパターン情報６１に予め登録しておき、表示制御部７０は、ユーザが照明に対して関心が低いタイプである場合、照明に対して関心が低いタイプ用のカラーパターン４３を表示させる。また、例えば、表示制御部７０は、ユーザが理想追求型のタイプの場合、色や明るさが高頻度で出現する特定の範囲の他のユーザにより登録されたカラーパターン４３を表示する。また、例えば、表示制御部７０は、ユーザがカラフル型のタイプの場合、当該ユーザが登録したカラーパターン４３と類似のカラーパターン４３を登録した他のユーザのカラーパターン４３を表示する。なお、表示制御部７０は、お気に入り回数の多い順や登録された日時の新しい新着順にカラーパターン４３を表示してもよい。例えば、表示制御部７０は、ランキングボタンをタッチパネル２２に表示させ、ランキングボタンが選択されると、お気に入り回数の多い順にカラーパターン４３を表示させてもよい。また、表示制御部７０は、新着順ボタンをタッチパネル２２に表示させ、新着順ボタンが選択されると、登録された日時の新しい新着順にカラーパターン４３を表示させてもよい。なお、表示制御部７０は、ユーザのタイプを同じタイプのカラーパターン４３をランキング順や新着順に表示してもよい。
【００７２】
［処理の流れ］
次に、本実施例に係る照明制御装置２０が実施する各種の流れについて説明する。最初に、操作パネル２１が操作された際に照明を制御する操作パネル制御処理の流れを説明する。図２１は、操作パネル制御処理の手順の一例を示すフローチャートである。この操作パネル制御処理は、所定のタイミング、例えば、操作パネル２１から操作情報が入力されたタイミングで実行される。
【００７３】
図２１に示すように、表示制御部７０は、ホイール３１から入力された操作情報から、ホイール３１が押圧操作されたか否かを判定する（Ｓ１０）。ホイール３１が押圧操作された場合（Ｓ１０肯定）、表示制御部７０は、操作パネル２１に表示される画面を図３Ｃの（Ａ）と（Ｂ）との間で切り替え（Ｓ１１）、処理を終了する。
【００７４】
ホイール３１が押圧操作されていない場合（Ｓ１０否定）、表示制御部７０は、操作情報からホイール３１の回転操作であるか判定する（Ｓ１２）。ホイール３１の回転操作ではない場合（Ｓ１２否定）、処理を終了する。
【００７５】
一方、ホイール３１の回転操作である場合（Ｓ１２肯定）、照明制御部７１は、ホイール３１への操作に応じて、制御対象の照明装置の色および明るさを変化させる（Ｓ１３）。表示制御部７０は、ホイール３１の指定位置の変化に応じて操作画面４０の照明指定領域４１の色および明るさを変化させ（Ｓ１４）、処理を終了する。
【００７６】
次に、タッチパネル２２が操作された際のタッチパネル制御処理の流れを説明する。図２２は、タッチパネル制御処理の手順の一例を示すフローチャートである。このタッチパネル制御処理は、所定のタイミング、例えば、タッチパネル２２から操作情報が入力されたタイミングで実行される。
【００７７】
図２２に示すように、表示制御部７０は、操作画面４０の照明指定領域４１がタッチ操作されたか否かを判定する（Ｓ２０）。照明指定領域４１がタッチ操作された場合（Ｓ２０肯定）、照明制御部７１は、制御対象とする照明装置を照明装置１１、１２間で切り替え（Ｓ２１）、処理を終了する。例えば、照明制御部７１は、照明指定領域４１の第１領域４１Ａへのタッチ操作であると、照明装置１１を制御対象の照明装置とし、照明指定領域４１の第２領域４１Ｂへのタッチ操作であると、照明装置１２を制御対象の照明装置に切り替える。
【００７８】
一方、照明指定領域４１がタッチ操作されていない場合（Ｓ２０否定）、表示制御部７０は、パターン登録ボタン４２がタッチ操作されたか否かを判定する（Ｓ２２）。パターン登録ボタン４２がタッチ操作された場合（Ｓ２２肯定）、登録受付部７５は、パターン登録ボタン４２がタッチ操作された時点の照明装置１１、１２の色および明るさでカラーパターンの情報をカラーパターン情報６１に登録し（Ｓ２３）、処理を終了する。
【００７９】
一方、パターン登録ボタン４２がタッチ操作されていない場合（Ｓ２２否定）、表示制御部７０は、カラーパターン４３がタッチ操作されたか否かを判定する（Ｓ２４）。カラーパターン４３がタッチ操作された場合（Ｓ２４肯定）、照明制御部７１は、タッチ操作されたカラーパターン４３の色および明るさに照明装置１１、１２の色および明るさを変化させ（Ｓ２５）、処理を終了する。
【００８０】
一方、カラーパターン４３がタッチ操作されていない場合（Ｓ２４否定）、表示制御部７０は、お気に入りボタン４５がタッチ操作されたか否かを判定する（Ｓ２６）。お気に入りボタン４５がタッチ操作された場合（Ｓ２６肯定）、表示制御部７０は、お気に入りボタン４５がタッチ操作されたカラーパターン４３のお気に入り回数を１つカウントアップし（Ｓ２７）、処理を終了する。
【００８１】
［効果］
上述してきたように、本実施例に係る照明システム１０では、照明装置１１、１２は、発する光の色および明るさを変更可能とされている。操作パネル２１は、色空間の３軸のパラメータの指定を２軸の指定操作で受け付ける。照明制御装置２０は、操作パネル２１に対する２軸の指定操作で指定された色空間の３軸のパラメータの値に応じた色および明るさで発光するように照明装置１１、１２を制御する。このように、照明システム１０は、２軸の指定操作で、色空間の３軸のパラメータの指定できるため、照明装置１１、１２を目的の色や明るさに簡易に調整できる。また、照明システム１０は、照明色を自由に選ぶことができるため、生活する人の心理状態やスタイルに適した色を自由に選ぶことで、ＱＯＬの向上に寄与できる。例えば、照明システム１０は、照明色を自由に選ぶことができるため、ユーザが１人でいる場合と他の人といる場合で照明を変えることができ、例えば、ユーザが１人でいる場合に自分の嗜好にあった照明に変えることで、ＱＯＬを向上させることができる。照明の色および明るさは、例えば、音楽などと異なり、ユーザが嗜好に合うか否かを速やかに判断できる。このため、照明システム１０は、２軸の指定操作とすることでユーザが照明の色および明るさを簡易に変えられ、ユーザが嗜好に合うか速やかに判断できるため、照明の色および明るさをユーザの嗜好するものに速やかに調整できる。
【００８２】
また、本実施例に係る照明システム１０では、操作パネル２１は、色相と、明度および彩度との２軸を切り替えて１つのホイール３１の回転操作で指定が可能とされている。これにより、照明システム１０は、１つのホイール３１の回転操作で、照明装置１１、１２を目的の色や明るさに簡易に調整できる。
【００８３】
また、本実施例に係る照明システム１０では、操作パネル２１は、明度および彩度の指定操作では、ホイール３１の回転操作に応じて、明度０％および彩度１００％から明度１００％および彩度１００％を経て明度１００％および彩度０％に変化する。これにより、照明システム１０は、ホイール３１の回転操作に応じて、明度および彩度を簡易に指定できる。
【００８４】
また、本実施例に係る照明システム１０では、記録部７２は、照明装置１１、１２の色および明るさの指定操作のログを記録する。判別部７３は、記録されたログに基づき、調整される頻度が高い色および明るさの範囲を判別する。変更部７４は、調整される頻度が高いと判別された範囲の色および明るさの指定の粒度を当該判別された範囲以外の範囲よりも高く変更する。これにより、照明システム１０は、操作パネル２１で調整される頻度が高い色および明るさの範囲を調整しやすくすることができる。
【００８５】
また、本実施例に係る照明制御装置２０は、指定操作された色および明るさの登録を受け付ける。照明制御装置２０は、登録された色および明るさのカラーパターン４３を選択可能に表示する。照明制御装置２０は、表示された何れかのカラーパターン４３が選択されると、選択されたカラーパターン４３の色および明るさで発光するように照明装置１１、１２を制御する。これにより、照明システム１０は、好みの色および明るさのカラーパターン４３を登録することで、照明装置１１、１２を好みの色および明るさに簡易に調整できる。特に、本実施例のように照明装置１１、１２の色および明るさ調整可能とした場合、色および明るさを変更すると以前の状態に戻すことが難しくなる場合もあるため、ユーザが色および明るさを変更し難く感じるが、カラーパターン４３を登録可能とすることでカラーパターン４３の色および明るさに容易に戻れるため、ユーザが照明の色および明るさをより積極的に変更できるようになる。
【００８６】
また、本実施例に係る照明制御装置２０は、何れかのカラーパターン４３が選択されると、選択されたカラーパターン４３から色および明るさが近い順に登録済みの他のカラーパターン４３を表示する。これにより、選択したカラーパターン４３に色および明るさが近いカラーパターン４３が判別し易くなるため、色および明るさを調整しやすくすることができる。
【実施例２】
【００８７】
さて、これまで開示の装置に関する実施例について説明したが、開示の技術は上述した実施例以外にも、種々の異なる形態にて実施されてよい。そこで、以下では、本発明に含まれる他の実施例を説明する。
【００８８】
例えば、上述のように、青色については、色および明るさの少し異なるカラーパターン４３が多く登録される。そこで、操作パネル２１は、青色に相当する範囲を青色以外の範囲よりも細かく色の指定を可能としてもよい。例えば、操作パネル２１は、図１４に示すように青色の範囲Ｂ１を範囲Ｂ２に予め拡大して、青色をより細かく色の指定可能にしてもよい。これにより、ユーザが青色を調整しやすくすることができる。
【００８９】
また、照明システム１０では、照明制御装置２０に操作パネル２１とタッチパネル２２を接続して操作部および表示部として用いた場合を説明した。しかし、これに限定されるものではない。例えば、照明制御装置２０に設けられたキーボードやマウス、ディスプレイを操作部および表示部としても用いてもよい。また、カラーパターンを複数のユーザで共有可能なシステム構成としてもよい。図２３は、カラーパターンを共有するシステムの機能的な構成の一例を示す図である。例えば、システム１００では、各家庭に、照明システム１０を設ける。また、システム１００では、データセンタなどに共有サーバ１０１を設け、各家庭の照明制御装置２０とネットワークを介して通信可能とする。各家庭の照明制御装置２０は、カラーパターン情報６１を共有サーバ１０１に記憶させて、各家庭の照明制御装置２０でカラーパターン４３を共有して使用可能としてもよい。システム１００では、このようにカラーパターン４３を共有可能とすることで、例えば、今現在、大勢の人が使っているカラーパターン４３を選択可能としたり、また、友達とカラーパターン４３を共有するといった利用が可能になる。また、例えば、スウェーデンの現地時間１８時に好まれているカラーパターン４３を東京の１８時に体験できる、といったことも可能になる。さらには、例えば、ユーザが他のユーザにカラーパターン４３を送ることも可能となる。例えば、バレンタインデーに、カラーパターン４３のセットをプレゼントするといったことも可能となる。
【００９０】
また、カラーパターン４３は、例えば、タッチパネル２２にソフトウェアキーボードを表示して、名称を付与できるようにしてもよい。例えば、ユーザがカラーパターン４３の表す照明環境のイメージを名称として付与することで、名称からカラーパターン４３による照明環境をイメージさせることができる。
【００９１】
また、照明システム１０では、照明装置１１、１２の色や明るさを制御する場合を説明した。しかし、これに限定されるものではない。上述のように、照明色を自由に選ぶことができると、生活する人の心理状態やスタイルに適した色を自由に選ぶことで、ＱＯＬの向上に寄与できる。色や明るさは、目によって感じるため、目に入る光の色や明るさを制御できれば、ＱＯＬの向上に寄与できる。そこで、例えば、ユーザが使用するメガネのレンズの色および光の透過量が変更可能である場合、照明制御装置２０は、メガネのレンズの色および光の透過量を制御して、ユーザがメガネを透して視認する色や明るさを制御してもよい。
【００９２】
ユーザの照明装置の色および明るさに対する嗜好は、多様である。ユーザは、一人で照明システム１０を操作すると、自身の嗜好に合わせて照明装置１１、１２の色や明るさを調整する。一方、ユーザは、他のユーザがいる場合、他のユーザの嗜好に考慮して照明装置１１、１２の色や明るさを調整する傾向がある。例えば、ユーザは、一人で色や明るさを調整している場合と、二人で色や明るさを調整している場合と、３人以上でインタビューを行った場合とで、色や明るさの調整の方針が変わる。ユーザは、一人の場合、本人の嗜好を思う存分発揮する。一方、ユーザは、例えば、家族と居る時は基本的には普通の色や明るさに照明を調整する。そこで、照明システム１０は、在室人数に応じて、照明の調整範囲や、カラーパターンの候補を変更したり、システムからユーザに提案するようにしてもよい。人数の計測は、スマートフォンや、スマートロック、センサ等で現在できる。また、照明装置に人感センサを設けることにより、照明下の人数は、人感センサで検出できる。例えば、照明制御装置２０は、無線ＬＡＮなどの無線通信により、予め登録された家族のスマートフォンと通信を行って各自の在不在を判別し、ユーザが一人の場合と家族と居る場合で表示するカラーパターン４３を変えてもよい。例えば、照明制御装置２０は、ユーザが一人の場合は当該ユーザの嗜好に合ったカラーパターン４３を表示し、家族と居る場合は標準的な照明のカラーパターン４３を表示してもよい。また、例えば、照明制御装置２０は、照明装置に設けられた人感センサからの情報からユーザが一人か複数人かを判別し、ユーザが一人の場合は当該ユーザの嗜好に合ったカラーパターン４３を表示し、複数人居る場合は標準的な照明のカラーパターン４３を表示してもよい。
【００９３】
また、照明システム１０では、操作画面４０に戻るボタンを設けて、直近の変更前の色および明るさに戻れるようにしてもよい。また、照明システム１０では、操作画面４０にホームボタンを設けて、予め定めた色および明るさに戻れるようにしてもよい。
【００９４】
部屋全体の色および明るさは、照明装置１１、１２の色および明るさだけではなく、壁の色などによっても変化し、操作パネル２１で指定した色および明るさにならない場合がある。そこで、照明制御装置２０は、操作パネル２１で指定可能な色および明るさを再現可能な色および明るさにキャリブレーションしてもよい。例えば、操作パネル２１またはタッチパネル２２にカメラを設けて、操作パネル２１で指定可能な色および明るさに照明装置１１、１２を変化させつつカメラで撮影して部屋の色および明るさを検出する。そして、照明制御装置２０は、操作パネル２１で指定可能な色および明るさを部屋で再現できる色および明るさに変更してもよい。
【００９５】
また、特定部７６は、ログ情報６２に記憶されたログから、操作パネル２１を操作するユーザのタイプを特定する場合について説明した。しかし、ユーザのタイプの特定手法は、これに限定されない。例えば、特定部７６は、ユーザに対してアンケートを実施してユーザのタイプを特定してもよい。
【００９６】
［照明制御プログラム］
なお、上記の実施例で説明した各種の処理は、あらかじめ用意されたプログラムをパーソナル・コンピュータやワークステーションなどのコンピュータシステムで実行することによって実現することもできる。そこで、以下では、上記の実施例と同様の機能を有するプログラムを実行するコンピュータシステムの一例を説明する。図２４は、照明制御プログラムを実行するコンピュータを示す図である。
【００９７】
図２４に示すように、コンピュータ３００は、ＣＰＵ３１０、ＨＤＤ（Hard  Disk  Drive）３２０、ＲＡＭ３４０を有する。これら３００〜３４０の各部は、バス４００を介して接続される。
【００９８】
ＨＤＤ３２０には上記の表示制御部７０、照明制御部７１、記録部７２、判別部７３、変更部７４、登録受付部７５および特定部７６と同様の機能を発揮する照明制御プログラム３２０ａが予め記憶される。なお、照明制御プログラム３２０ａについては、適宜分離してもよい。
【００９９】
また、ＨＤＤ３２０は、各種情報を記憶する。例えば、ＨＤＤ３２０は、上述の照明情報６０、カラーパターン情報６１、ログ情報６２など照明制御に用いる各種データを記憶する。
【０１００】
そして、ＣＰＵ３１０が、照明制御プログラム３２０ａをＨＤＤ３２０から読み出して実行することで、実施例の各処理部と同様の動作を実行する。すなわち、照明制御プログラム３２０ａは、表示制御部７０、照明制御部７１、記録部７２、判別部７３、変更部７４、登録受付部７５および特定部７６と同様の動作を実行する。
【０１０１】
なお、上記した照明制御プログラム３２０ａについては、必ずしも最初からＨＤＤ３２０に記憶させることを要しない。
【０１０２】
例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」にプログラムを記憶させておく。そして、コンピュータ３００がこれらからプログラムを読み出して実行するようにしてもよい。
【０１０３】
さらには、公衆回線、インターネット、ＬＡＮ、ＷＡＮなどを介してコンピュータ３００に接続される「他のコンピュータ（またはサーバ）」などにプログラムを記憶させておく。そして、コンピュータ３００がこれらからプログラムを読み出して実行するようにしてもよい。
【符号の説明】
【０１０４】
１０  照明システム
１１  照明装置
１２  照明装置
１３  ブリッジ
２０  照明制御装置
２１  操作パネル
２２  タッチパネル
３０  表示部
３１  ホイール
５１  記憶部
５２  制御部
６０  照明情報
６１  カラーパターン情報
６２  ログ情報
７０  表示制御部
７１  照明制御部
７２  記録部
７３  判別部
７４  変更部
７５  登録受付部
７６  特定部
【図１】
0006703863.tif 000002
【図２】
0006703863.tif 000003
【図３Ａ】
0006703863.tif 000004
【図３Ｂ】
0006703863.tif 000005
【図３Ｃ】
0006703863.tif 000006
【図３Ｄ】
0006703863.tif 000007
【図４】
0006703863.tif 000008
【図５】
0006703863.tif 000009
【図６】
0006703863.tif 000010
【図７】
0006703863.tif 000011
【図８】
0006703863.tif 000012
【図９】
0006703863.tif 000013
【図１０】
0006703863.tif 000014
【図１１Ａ】
0006703863.tif 000015
【図１１Ｂ】
0006703863.tif 000016
【図１２Ａ】
0006703863.tif 000017
【図１２Ｂ】
0006703863.tif 000018
【図１３】
0006703863.tif 000019
【図１４】
0006703863.tif 000020
【図１５】
0006703863.tif 000021
【図１６】
0006703863.tif 000022
【図１７】
0006703863.tif 000023
【図１８】
0006703863.tif 000024
【図１９】
0006703863.tif 000025
【図２０】
0006703863.tif 000026
【図２１】
0006703863.tif 000027
【図２２】
0006703863.tif 000028
【図２３】
0006703863.tif 000029
【図２４】
0006703863.tif 000030